(57)【特許請求の範囲】
【請求項１】
カバーが取り付けられるベースに対して固定した波動スイッチを、カバーに設けられた２本の操作棒でなる直動釦を介して操作する、波動スイッチの操作構造において、回動によって前記直動釦となる２本の操作棒のいずれか一方の先端に接触することで前記波動スイッチをオン・オフ操作できる波動操作部を前記カバーに設けてなり、同カバーは別途取着される化粧プレートを具備し、この化粧プレートを取着すると施蓋される凹所が前記カバーには備えられており、同凹所の底部面に備わる取着開口に前記波動操作部が回動可能に軸着されていて、同波動操作部の軸から両側へ偏心した位置各々に前記２本の操作棒の各先端に接触する接触部を備え、同波動操作部の回動によりその一方の接触部が一方の操作棒の先端に接触して前記波動スイッチがオンされた状態では、この波動操作部が前記凹所の底部面にその全体が沈み込み、同波動操作部の逆回り方向の回動によりその他方の接触部が他方の操作棒の先端に接触して前記波動スイッチがオフされた状態では、前記一方の接触部の背部が前記凹所の底部面から突出するようになしたことを特徴とする波動スイッチの操作構造。
【請求項２】
前記化粧プレートには、前記カバーに取着されると、前記波動操作部を介して前記直動釦を操作して前記波動スイッチをオン操作する、操作突起部が設けられていることを特徴とする請求項１記載の波動スイッチの操作構造。
【請求項３】
前記化粧プレートは、化粧プレートの一端近傍を支点に回動することによって、前記カバーに取着するものであることを特徴とする請求項２記載の波動スイッチの操作構造。
【請求項４】
前記化粧プレートがカバーに取着される際に回動される方向と、その際に前記波動スイッチがオン操作されるときの前記波動操作部が回動される方向と、が逆回り方向となることを特徴とする請求項３記載の波動スイッチの操作構造。
【発明の詳細な説明】
【０００１】
【発明の属する技術分野】
本発明は、カバーが取り付けられるベースに対して固定した波動スイッチを、カバーに設けられた直動釦を介して操作する、波動スイッチの操作構造に関する。
【０００２】
【従来の技術】
近時、一戸建て住宅や集合住宅などにあっては、防犯や防災を目的とした所謂セキュリティ機器が設置されるにようになってきている。このようなセキュリティ機器においては、マイコンが実装されていて電源リセットを行なう必要があることから、適宜手動にて必要に応じて電源をオン／オフできるように、電源スイッチが設けられている。
【０００３】
一方、セキュリティ機器は、壁などの造営材に取着されるベースと、このベースを覆うように取着されるカバーとを含んで構成される。また、セキュリティ機器にあっては、常時電源をオンしておかないと、いざ火災発生というような場合に役立たず、甚大な損害を被る場合がある。そこで、セキュリティ機器にあっては、電源スイッチのオフ操作を簡単に行うことができないようにされていて、もしも電源スイッチをオフ操作するような場合には、カバーに取着されている化粧プレートを意識的に取り外すなどの行為を行った上ではじめてオフ操作が行えるようにされるとともに、化粧プレートを再び取り付けたときには必然的に電源スイッチがオンされるような、波動スイッチの操作構造にされている。
【０００４】
図３は上述のような従来の波動スイッチの操作構造を説明する要部斜視図である。図３において、１はカバー、２は化粧プレート、３は波動スイッチ、４は直動釦である。カバー１は、開閉扉１０と、開閉扉１０にて開閉される開口部１１とを備えている。開閉扉１０は一方端近傍に矩形の操作突起部１２を備える。化粧プレート２は、開閉扉１０を閉じるとともに、この開閉扉１０の上に覆いかぶさって不要なものを目隠しできるようにされているもので、カバー１の表面を矢印Ａのようにスライドさせることによってカバー１の表面に取着できる。波動スイッチ３は、シーソーのような操作部３０を備える電源スイッチであり、ベース（図示せず）に取着されたプリント配線基板（図示せず）に実装されてなり、プリント配線基板（図示せず）を介してベース（図示せず）に固定されている。
【０００５】
直動釦４は、カバー１にスライド自在に具備されたもので、波動スイッチ３の操作部３０の前方に設けられた２本の操作棒４０，４１にて構成される。また、この操作棒４０，４１は、カバー１の開口部１１を臨むように配設されていて、電源スイッチがオンのときには操作棒４０は沈み且つ操作棒４１は浮く状態になり、電源スイッチがオフのときには操作棒４０は浮き且つ操作棒４１は沈む状態になるようにされている。
【０００６】
上述のような波動スイッチの操作構造にあっては、オンしている波動スイッチ３を次のようにオフすることができる。すなわち、先ず、矢印Ａとは逆の方向に化粧プレート２をスライドさせて取り払う。その後、開閉扉１０を開いて、開口部１１を臨む操作棒４０，４１の先端を露出せしめ、浮いている操作棒４１の先端を指などで押して沈める。すると、操作部３０は回動して、操作棒４０は浮き、操作棒４１は沈み、波動スイッチ３はオフする。
【０００７】
その後、開いている開閉扉１０を再び閉じるとともに、矢印Ａのように化粧プレート２をカバー１の表面にスライドさせながら、化粧プレート２をカバー１の表面に再び取着する。すると、開閉扉１０に設けられている操作突起部１２が、浮いている操作棒４０の先端を押して沈め、波動スイッチ３の操作部３０を回動させて操作棒４１の先端を浮かせることができ、波動スイッチ３はオンすることができる。
【０００８】
【発明が解決しようとする課題】
しかしながら、上述のような従来の波動スイッチの操作構造にあっては、化粧プレート２をカバー１の表面にスライドさせて取り付け、オフしている波動スイッチ３をオンするようにしているため、力の動作変換を２回行うようになっている。すなわち、第１の動作変換が化粧プレート２のスライド動作から開閉扉１０の回動動作への変換であり、第２の動作変換が開閉扉１０の回動動作から直動釦４の直動動作への変換である。
【０００９】
従って、従来の波動スイッチの操作構造にあっては、力の動作変換を２回も行っているので動作の信頼性に欠ける。また、直動釦４を介在させて波動スイッチ３を操作する際に、スライド自在な同直動釦４を構成する操作棒４１の先端を指などで押して沈める操作となるので、カバー１無しで波動スイッチ３をシーソーのように操作する場合に比して操作感に違和感がある。更に、化粧プレート２を外しても開閉扉１０があり、しかも開閉扉１０には操作突起部１２が設けられているので、波動スイッチ３のオフ状態を保っておきたいような場合にあっては、誤って開閉扉１０を閉めてしまって波動スイッチ３をオン状態にしてしまうことがあるという問題点があった。
【００１０】
本発明は上記の問題点を解決するためになされたもので、その第１の目的とするところは、力の動作変換回数を減少せしめて動作の信頼性向上を図れる波動スイッチの操作構造を提供することにあり、その第２の目的とするところは、操作時の違和感を無くして操作感の向上を図れる波動スイッチの操作構造を提供することにあり、その第３の目的とするところは、誤操作のされ難い波動スイッチの操作構造を提供することにある。
【００１１】
【課題を解決するための手段】
本発明は上記の問題点を解決するため、請求項１記載の発明にあっては、カバーが取り付けられるベースに対して固定した波動スイッチを、カバーに設けられた２本の操作棒でなる直動釦を介して操作する、波動スイッチの操作構造において、回動によって前記直動釦となる２本の操作棒のいずれか一方の先端に接触することで前記波動スイッチをオン・オフ操作できる波動操作部を前記カバーに設けてなり、同カバーは別途取着される化粧プレートを具備し、この化粧プレートを取着すると施蓋される凹所が前記カバーには備えられており、同凹所の底部面に備わる取着開口に前記波動操作部が回動可能に軸着されていて、同波動操作部の軸から両側へ偏心した位置各々に前記２本の操作棒の各先端に接触する接触部を備え、同波動操作部の回動によりその一方の接触部が一方の操作棒の先端に接触して前記波動スイッチがオンされた状態では、この波動操作部が前記凹所の底部面にその全体が沈み込み、同波動操作部の逆回り方向の回動によりその他方の接触部が他方の操作棒の先端に接触して前記波動スイッチがオフされた状態では、前記一方の接触部の背部が前記凹所の底部面から突出するようになしたことを特徴とするものである。
【００１２】
請求項２記載の発明にあっては、前記化粧プレートには、前記カバーに取着されると、前記波動操作部を介して前記直動釦を操作して前記波動スイッチをオン操作する、操作突起部が設けられていることを特徴とするものである。
【００１３】
請求項３記載の発明にあっては、前記化粧プレートは、化粧プレートの一端近傍を支点に回動することによって、前記カバーに取着するものであることを特徴とするものである。
【００１４】
請求項４記載の発明にあっては、前記化粧プレートがカバーに取着される際に回動される方向と、その際に前記波動スイッチがオン操作されるときの前記波動操作部が回動される方向と、が逆回り方向となることを特徴とするものである。
【００１５】
【発明の実施の形態】
以下、本発明に係る波動スイッチの操作構造の一実施の形態を、図１および図２に基づいて詳細に説明する。図１は波動スイッチの操作構造を説明する要部断面側面図、図２は波動スイッチの操作構造の化粧プレートを取り外した状態を示す要部断面側面図である。なお、図１および図２において、従来の技術にて図３を用いて説明した波動スイッチの操作構造と同等の箇所には同じ符号を付してある。
【００１６】
図１または図２に示すように、この波動スイッチの操作構造にあっては、カバー１と、化粧プレート２と、波動スイッチ３と、直動釦４と、波動操作部５と、ベース６とを含んで構成される。
【００１７】
カバー１は、ベース６に覆い被さるように取着されて、プリント配線基板７やプリント配線基板７に実装されている各種電子部品を保護するもので、化粧プレート２を取着するための係合孔１３を備えるとともに、化粧プレート２を取着すると施蓋される凹所１４を備える。また、凹所１４は、底部面に、波動操作部５が回動可能に軸着される取着開口１５を備えている。
【００１８】
化粧プレート２は電源スイッチとしての波動スイッチ３のオフ操作を簡単に行うことができないようにするもので、化粧プレート２にはカバー１の係合孔１３に挿入係止するための係止部２０が形成されている。そして、もしも波動スイッチ３をオフ操作するような場合には、カバー１に取着されている化粧プレート２を意識的に取り外すなどの行為を行った上ではじめてオフ操作を行えるようにしているとともに、化粧プレート２には、カバー１に取り付けたときに、必然的に波動スイッチ３をオンする操作突起部２１が形成されている。
【００１９】
波動スイッチ３は、例えばセキュリティ機器の電源をオン／オフするためのもので、シーソーのように回動する操作部３０を備える。また、波動スイッチ３は、プリント配線基板７に実装されていて、プリント配線基板７を介してベース６に固定されている。
【００２０】
直動釦４は、カバー１にスライド自在に具備されたもので、波動スイッチ３の操作部３０の前方に設けられた２本の操作棒４０，４１にて構成される。また、この操作棒４０，４１は、カバー１の凹所１４の取着開口１５を臨むように配設されるとともに、波動操作部５の回動動作に連動するように、操作棒４０の先端は波動操作部５の接触部５１に接触し、操作棒４１の先端は波動操作部５の接触部５２に接触し、波動スイッチ３がオンのときには波動操作部５が右回動して操作棒４０は沈み且つ操作棒４１は浮く状態になり、波動スイッチ３がオフのときには波動操作部５が左回動して操作棒４０は浮き且つ操作棒４１は沈む状態になる。
【００２１】
波動操作部５は、カバー１の取着開口１５に回動可能に軸着されるもので、軸５０を備えるとともに、軸５０から偏心して形成されて操作棒４０の先端に接触する接触部５１と、軸５０から偏心して形成されて操作棒４１の先端に接触する接触部５２とを備える。また、波動操作部５は、波動スイッチ３がオンのときには、図２に示すように凹所１４の底部面にちょうど全体が沈み込むものの、波動スイッチ３がオフのときには、図１に示すように凹所１４の底部面から接触部５１の形成されている側の背部５３が突出するようになっている。
【００２２】
ベース６は、例えばセキュリティ機器を壁などの造営材に取着する場合に、直接に壁などの造営材に接触する部分であり、カバー１と相俟って例えばセキュリティ機器などの外殻を構成していて、プリント配線基板７などが固定される。
【００２３】
上述のように構成される波動スイッチの操作構造にあっては、カバー１に化粧プレート２が取り付けられることによってオン状態になっている波動スイッチ３を、次のようにオフすることができる。
【００２４】
すなわち、先ず、カバー１の係合孔１３に挿入されている係止部２０を軸にして、化粧プレート２を右回動して凹所１４の前方を開きながら、化粧プレート２をカバー１から取り外す。すると、図２に示すような状態になり、凹所１４の底部面にちょうど波動操作部５の全体が沈み込んで、波動スイッチ３はオン状態になている。
【００２５】
従って、指にて波動操作部５を左回動せしめて波動スイッチ３をオフさせようとしてもオフさせることはできず、誤操作により簡単に波動スイッチ３をオフさせてしまうことはなく、ドライバの先端などで意識的に波動操作部５の背部５４を押し込むことによって、波動操作部５が左回動し、操作棒４０は浮き、操作棒４１は沈み、波動スイッチ３をオフできることになる。そして、波動操作部５の背部５３は、凹所１４の底部面から突出する。
【００２６】
一方、化粧プレート２が取り外されて波動スイッチ３がオフ状態にあるときに、カバー１の係合孔１３に化粧プレート２の係止部２０を差し込んで係合し、凹所１４を化粧プレート２で施蓋するように左回動すると、化粧プレート２に形成されている操作突起部２１が波動操作部５の接触部５１の形成されている側の背部５３に当接し、波動操作部５を右回動せしめることになり、操作棒４０は沈み、操作棒４１は浮き、波動スイッチ３は必然的にオンする。つまり、化粧プレート２がカバー１に取着されているときは、波動スイッチ３は常にオン状態になることになる。
【００２７】
【発明の効果】
本発明の波動スイッチの操作構造にあっては上述のように構成されているので、請求項１記載の発明によれば、波動操作部を回動せしめて波動スイッチを操作するので、カバー取り付け時とカバー無し時とで、操作の違和感のない、優れる波動スイッチの操作構造を提供できるという効果を奏する。
【００２８】
請求項１記載の発明によれば、上記の効果に加えて更に、誤って簡単に波動スイッチをオフしてしまうことのない、優れる波動スイッチの操作構造を提供できるという効果を奏する。
【００２９】
請求項２記載の発明によれば、請求項１記載の発明の効果に加えて更に、化粧プレートがカバーに取着されていれば常に波動スイッチが必然的にオン状態になる、優れる波動スイッチの操作構造を提供できるという効果を奏する。
【００３０】
請求項３記載の発明によれば、波動スイッチを操作するための力の動作変換は１回になり、波動スイッチの操作を確実に行い得る、優れる波動スイッチの操作構造を提供できるという効果を奏する。
【図面の簡単な説明】
【図１】本発明に係る一実施の形態の波動スイッチの操作構造を説明する要部断面側面図である。
【図２】上記波動スイッチの操作構造の化粧プレートを取り外した状態を示す要部断面側面図である。
【図３】従来の波動スイッチの操作構造を説明する要部斜視図である。
【符号の説明】
１      カバー
２            化粧プレート
２１        操作突起部
３          波動スイッチ
４        直動釦
５            波動操作部
６          ベース
【図１】
0003624744.tif 000002
【図２】
0003624744.tif 000003
【図３】
0003624744.tif 000004